(57)【特許請求の範囲】
【請求項１】
管理機等のハンドル１３に付設し、指の押し方向の操作のみにて、クラッチを入切りする指操作式クラッチレバーＡにおいて、
該指操作式クラッチレバーＡは、主クラッチレバー２と、該主クラッチレバー２の回動軸２ｄの周囲で回動する中間部材３と、ワイヤ枢支部５ａにクラッチワイヤ１１を枢支し、前記回動軸２ｄとは別の回動軸５ｂにおいて枢支されて回動する回動部材５と、主クラッチレバー２及び回動部材５の回動軸とは別の回動軸１ｃにおいて枢支する指クラッチレバー１と、主クラッチレバー２と指クラッチレバー１の間に介装するリンク部材４により構成し、
前記中間部材３に設けたローラー３ａと、指クラッチレバー１のローラー押当部１ｂとが接当すべく構成し、
前記リンク部材４は板状部材４ａと棒状部材４ｂにより構成し、該板状部材４ａを、指クラッチレバー１の回動軸１ｃの周囲に枢支し、棒状部材４ｂの端部を、主クラッチレバー２のリンク枢支部２ｅに枢支し、前記板状部材４ａと指クラッチレバー１の間に戻しバネ７を介装し、中間部材３と板状部材４ａの間にバネ６を介装し、
該回動部材５は、クラッチワイヤ１１を枢支するワイヤ枢支部５ａを、該主クラッチレバー２の具備する長孔２ｃ内に嵌入し、該回動部材５は回動軌跡内において、その両端Ｙ１・Ｙ２が主クラッチレバー２の回動軸２ｄに押当して回動が規制され、該主クラッチレバーの回動軸２ｄ押当時には、該クラッチワイヤ１１の付勢力にて押当位置に維持されるように構成し、
該指クラッチレバー１の指押し操作にて、中間部材３に設けたローラー３ａを押して主クラッチレバー２を「入」位置と「切」位置に回動し、クラッチの「入」位置と「切」位置で該ローラー３ａの該指クラッチレバー１のローラー押当部１ｂへの押当位置Ｘ１・Ｘ２を切換えたことを特徴とする指操作式クラッチレバー。
【発明の詳細な説明】
【０００１】
【産業上の利用分野】
本発明は、管理機等の農業機械の、ハンドル部に付設する指操作式クラッチレバーの構成に関する。
【０００２】
【従来の技術】
従来、管理機等の農業機械においては、押し引きによってクラッチを入切りするクラッチワイヤを連結した主クラッチレバーをハンドル部に設け、更にハンドルを握ったままの状態で指で該主クラッチレバーを操作できるように、ハンドルのグリップ部分に指クラッチレバーを付設していたのである。
【０００３】
【発明が解決しようとする課題】
しかし、クラッチレバーを入切位置に切り換える指操作式クラッチレバーの機構は複雑となり、指操作式クラッチレバーにおいては、従来、「入」用と「切」用の２つの指クラッチレバーを設けており、指を「入」操作と「切」操作で、位置を変えて操作しなければならず、クラッチの入切りを断続的に行わなければならない作業においては、「入」「切」操作を取り違えてしまうおそれもあり、指の操作も煩わしくなっていた。
そこで、指クラッチレバー一個にて入切り操作のできる指操作式クラッチレバーが望まれていたのである。
【０００４】
そして、更に問題となるのは、指による指クラッチレバーの押し操作のみでクラッチワイヤを連結する主クラッチレバーを回動するのであるから、押し操作に要する指の押圧力は相当なものである。クラッチレバーの回動量を多くすれば該押圧力は少なくてすむが、位置的な問題もあり、指の回動量も決まっているので、該クラッチ回動幅は限定されている。
結局、一回の押し操作における指の押圧力は限定されてしまう。
そこで、少しでも操作感覚をよくするには、一回の押し操作における該押圧力を分散させることが考えられる。該クラッチ操作は、クラッチより延設されるクラッチワイヤの押し引きによってクラッチを入切りするのであり、前方に押し込んだ状態がクラッチ「入」状態、ハンドルのグリップ側に引っ張った状態がクラッチ「切」状態となるもので、該クラッチワイヤは、前方に押し込む方向に付勢されていて、引っ張る時、即ちクラッチを切る時に荷重がかかる。
従って、従来の指操作式クラッチレバーにおいては、指クラッチレバーを押してクラッチを切る時に、クラッチワイヤの引っ張り力に抗して、指押し操作が進むほどに増大してしまうのである。そこで、一回の指押し操作における力の配分を比較的均等にすることによって、該押し操作における操作感覚を向上させることが考えられるのである。
【０００５】
【課題を解決するための手段】
本発明は、以上の如き課題を解決するために、次のような手段を用いるものである。
管理機等のハンドル１３に付設し、指の押し方向の操作のみにて、クラッチを入切りする指操作式クラッチレバーＡにおいて、該指操作式クラッチレバーＡは、主クラッチレバー２と、該主クラッチレバー２の回動軸２ｄの周囲で回動する中間部材３と、ワイヤ枢支部５ａにクラッチワイヤ１１を枢支し、前記回動軸２ｄとは別の回動軸５ｂにおいて枢支されて回動する回動部材５と、主クラッチレバー２及び回動部材５の回動軸とは別の回動軸１ｃにおいて枢支する指クラッチレバー１と、主クラッチレバー２と指クラッチレバー１の間に介装するリンク部材４により構成し、前記中間部材３に設けたローラー３ａと、指クラッチレバー１のローラー押当部１ｂとが接当すべく構成し、前記リンク部材４は板状部材４ａと棒状部材４ｂにより構成し、該板状部材４ａを、指クラッチレバー１の回動軸１ｃの周囲に枢支し、棒状部材４ｂの端部を、主クラッチレバー２のリンク枢支部２ｅに枢支し、前記板状部材４ａと指クラッチレバー１の間に戻しバネ７を介装し、中間部材３と板状部材４ａの間にバネ６を介装し、該回動部材５は、クラッチワイヤ１１を枢支するワイヤ枢支部５ａを、該主クラッチレバー２の具備する長孔２ｃ内に嵌入し、該回動部材５は回動軌跡内において、その両端Ｙ１・Ｙ２が主クラッチレバー２の回動軸２ｄに押当して回動が規制され、該主クラッチレバーの回動軸２ｄ押当時には、該クラッチワイヤ１１の付勢力にて押当位置に維持されるように構成し、該指クラッチレバー１の指押し操作にて、中間部材３に設けたローラー３ａを押して主クラッチレバー２を「入」位置と「切」位置に回動し、クラッチの「入」位置と「切」位置で該ローラー３ａの該指クラッチレバー１のローラー押当部１ｂへの押当位置Ｘ１・Ｘ２を切換えたものである。
【０００６】
【作用】
クラッチ「切」状態より指クラッチレバーを指で押すと、中間部材のローラーを介して中間部材を回動させ、それとともに主クラッチレバーをクラッチ「入」位置に回動させ、クラッチワイヤを枢支する回動部材を回動させる。
このクラッチ「入」操作における指押し操作においては、指押し開始時に中間部材のローラーを押す荷重がかかるが、該操作の終了時直前においては、回動部材の支点越えによってクラッチワイヤの付勢力により自然に回動部材が回動し、主クラッチレバーの回動軸に押当して主クラッチレバーをクラッチ「入」位置に固定するのであり、この時点での指押し荷重を低減している。
【０００７】
そして、クラッチが入って指を離すと、バネの力にて中間部材が回動して、中間部材がクラッチ「入」状態における設定位置になり、ローラーの指クラッチレバーに対する押当位置が切り換えられるのである。
【０００８】
更に、クラッチ「入」状態より指クラッチレバーを押すと、クラッチ「入」位置にて指クラッチレバーに押当していたローラーが押されて中間部材が回動し、ある位置まで指押しすると、その後は回動部材の支点越えにより、クラッチワイヤの付勢力によって回動部材が回動し、これに主クラッチレバーが連動して、クラッチ「切」位置に回動し、該回動部材が主クラッチレバーを「切」位置に維持するのである。
【０００９】
【実施例】
本発明の構成の実施例を添付の図面を用いて説明する。
図１は本発明の指操作式クラッチレバーＡを具備した管理機の全体平面図、図２は本発明の指操作式クラッチレバーＡにおけるクラッチ「切」状態の側面図、図３はクラッチを入れるための指押し操作の途中の側面図、図４は同じく指押し操作の終了時の側面図、図５はクラッチ「入」状態で指クラッチレバー１が元に戻った状態の側面図、図６はクラッチを切るための指押し操作の途中の側面図、図７は同じく指押し操作の終了時の側面図、図８は指操作式クラッチレバーＡの平面図、図９は同じく正面図である。
【００１０】
図１より管理機の全体構成について説明する。
管理機は、前方に位置するボンネット１５内にエンジンを内蔵し、その後方にミッションケース、その下方に駆動輪を懸架し、該ボンネット１５の後部上方にハンドル１３が突設しており、該ハンドル１３にて操向操作しながら駆動輪の駆動にて走行するものであり、該ミッションケースの後方にはロータリー耕耘装置等の作業装置を装着し、圃場上にて該管理機を走行させることにより、該作業装置にて圃場上の農作業を行うのである。
【００１１】
そして、該ハンドル１３の左右グリップ部１３ａ・１３ａにおいて、右側のグリップ部近傍にはアクセルレバー１４が配設され、該アクセルレバー１４の操作にてエンジンの回転数を調節し、管理機の速度調節や作業機の回転数調節を行うのである。
そして、左側のグリップ部１３ａ近傍には、本発明の指操作式クラッチレバーＡが配設されており、該指操作クラッチレバーＡを指一本にて操作することにより管理機の動力クラッチの入切りを行うのである。
【００１２】
本発明の指操作式クラッチレバーＡの構成について、図２乃至図９より説明する。
まず、ハンドル１３のグリップ部１３ａのやや前方位置で、該ハンドル１３の下部に、該指操作式クラッチレバーＡを取付ける取付板材８を固設している。また該ハンドル１３の内側側面より、指クラッチレバー用ストッパー９及び主クラッチレバー用ストッパー１０を突設している。
【００１３】
該取付板材８には、グリップ部１３ａ側より、指クラッチレバー１の回動軸１ｃ、回動部材５の回動軸５ｂ、及び主クラッチレバー２の回動軸２ｄを枢支している。指クラッチレバー１は、指操作部１ａとローラー押当部１ｂとが一体に回動軸１ｃにて枢支されている。
主クラッチレバー２は、レバー部２ａと板状部２ｂとが一体に回動軸２ｄにて枢支されており、該板状部２ｂには長孔２ｃが穿設されており、レバー部２ａの基部には、後記リンク部材４の棒状部材４ｂを枢支するためのリンク枢支部２ｅが固設されている。
そして、回動部材５は、半円状の板材が回動軸５ｂを支点に回動するよう構成されており、クラッチワイヤ１１を枢支するワイヤ枢支部５ａが突設されており、該ワイヤ枢支部５ａが、該主クラッチレバー２の長孔２ｃ内に嵌挿されて、主クラッチレバー２の回動に伴って回動部材５が回動できるように構成している。
また、該回動部材５の両端Ｙ１・Ｙ２は、図２、図４、図５及び図７に示すように、主クラッチレバー２の回動軸２ｄに押当して回動が規制されている。なおクラッチは、クラッチワイヤ１１がハンドル１３のグリップ１３ａ側（指クラッチレバー１側）に引っ張られた時に「入」状態となり、前方に押し込まれた時に「切」状態となる。また、クラッチワイヤ１１は、前方に押し込まれる方向（「切」位置）に付勢されており、引っ張る時に荷重がかかるようになっている。
【００１４】
指クラッチレバー１の回動軸１ｃは、リンク部材４の板状部材４ａの回動軸ともなっており、リンク部材４は板状部材４ａと棒状部材４ｂとを枢着してなる。更に、棒状部材４ｂの他端は、前記主クラッチレバー２のリンク枢支部２ｅに枢支されて、該リンク部材４が、指クラッチレバー１と主クラッチレバー２との間の連結リンクとなっているのである。
また、板状部材４ａにはバネ取付部４ｃが突設されており、後記中間部材３との間にバネ６を介設している。更に、該回動軸１ｃには戻しバネ７が巻回されており、戻しバネ７の一端が該指クラッチレバー１のローラー押当部１ｂに係止され、他端が前記指クラッチレバー用ストッパー９に当節されており、指操作部１ａを指にて押し下げた指クラッチレバー１が、指を離すと元の位置に戻るように付勢している。
【００１５】
そして、主クラッチレバー２の回動軸２ｄは、中間部材３の回動軸ともなっている。該中間部材３の端部にはローラー３ａが枢支されており、該ローラー３ａが該指クラッチレバー１のローラー押当部１ｂの縁部に押当している。
押当位置は、クラッチ「切」位置からクラッチ「入」操作にて指クラッチレバー１を押し下げている時は、図２乃至図４の如くローラー押当部１ｂのＸ１部分、クラッチ「入」位置からクラッチ「切」操作にて指クラッチレバー１を押し下げている時は、図５乃至図７の如くローラー押当部１ｂのＸ２部分となっている。
また、中間部材の主クラッチレバー２のレバー部２ａ基部付近には、該主クラッチレバー２のリンク枢支部２ｅに押当する「切」側押当部３ｂ、及び「入」側押当部３ｃが突出しており、更に、ハンドル１３の下方に押当して中間部材３の一定以上の回動を停止する（図６）ためのストッパー部３ｅが突設されている。
また、バネ取付部３ｄが突設されていて、前記の如く、リンク部材４の板状部材４ａのバネ取付部４ｃとの間にバネ６を介設している。以上のように構成された指操作式クラッチレバーが、図２及び図８の如く、ハンドル１３の上部よりカバー１２にて被覆されているのである。
【００１６】
次に、クラッチの入切り操作における指操作式クラッチレバーＡの各部材の動きとその働きについて説明する。
まず最初に、図２に示されるクラッチ「切」状態について説明すると。
主クラッチ２は、ハンドル１３のグリップ部１３ａ側の「切」位置となっており、クラッチワイヤ１１が押し込まれた状態となって、回動部材５のＹ１が主クラッチレバー２の回動軸２ｄに押当して、主クラッチレバー２の回動を停止しており、更に主クラッチレバー２のリンク枢支部２ｅが、中間部材３の「切」側押当部３ｂに、また、中間部材３のローラー３ａが指クラッチレバー１のローラー押当部１ｂのＸ部分に押当しており、指クラッチレバー１の指操作部１ａが戻しバネ７にて引き上げられた状態で指クラッチレバー用ストッパー９に押当しているのである。
【００１７】
そして、クラッチを入れるために指クラッチレバー１の指操作部１ａを下方に押し下げると、図３乃至図４の如く、該指クラッチレバー１のローラー押当部１ｂがＸ部分にて中間部材３のローラー３ａを押し上げてゆき、それに伴って、「切」側押当部３ｂがリンク枢支部２ｅを押して、主クラッチレバー２を「入」側へと回動させていく。
この主クラッチレバー２の回動とともに、長孔２ｃ内にワイヤ枢支部５ａを嵌挿した回動部材５が回動し、ワイヤ枢支部５ａが指クラッチレバー１側に引っ張られるので、クラッチワイヤ１１が引っ張られてゆき、ついに図４の如く主クラッチレバー２のレバー部２ａが主クラッチレバー用ストッパー１０に押当し、該回動部材５のＹ２部分が該主クラッチレバー２の回動軸２ｄに押当して、クラッチ「入」位置にて停止し、クラッチワイヤ１１が引っ張られた状態となって、クラッチが入るのである。
【００１８】
そして、この指クラッチレバー１の押し下げ操作において指にかかる荷重については、最初の指操作部１ａの押し始めにおいては、ローラー押当部１ｂがローラー３ａを押し上げなければならないので、比較的荷重がかかるが、該押し操作の終末付近では、回動部材５のワイヤ枢支部５ａが、回動軸５ｂの中心よりも上方位置となって支点越えをするために、逆にクラッチワイヤ１１の引っ張り荷重がなくなり、その分荷重が低減される。
従来は、クラッチワイヤを引っ張るほど荷重がかかるので、指押し操作の終末付近になると、一気に荷重がかかって、作業者にとっては感覚的に負荷を感じるようになっていたが、回動部材５の支点越え作用によって、押し操作の終末付近における引っ張り荷重を低減しただけ、作業者にはさほど負荷を感じないのである。
【００１９】
こうして、クラッチ「入」操作における指押し操作が終了し、図４の状態から指を離すと、戻しバネ７の付勢力にて指クラッチレバー１が引き上げられ、指操作部１ａが指クラッチレバー用ストッパー１０に押当して元の位置に戻る。更に指押し操作に伴い、図２乃至図４の如く、リンク部材４のバネ取付部４ｃより中間部材３のバネ取付部３ｅとの間のバネ６が伸長しており、指を離すと、伸長したバネ６の収縮力によって、指クラッチレバー１のローラー押当部１ｂの下方への回動とともにローラー３ａを介して下方に回動し、ついには図５のように「入」押当部３ｃがリンク枢支部２ｅに押当して中間部材３が停止する。
この時、ローラー３ａは、該ローラー押当部１ｂのＸ２部分に押当している。また、主クラッチレバー２は、クラッチワイヤ１１の付勢力にて前方に付勢されている回動部材５のＹ２部分が回動軸２ｄに押当しているので、回動することなくクラッチ「入」位置に維持されている。
【００２０】
次に、クラッチ「入」状態よりクラッチを切る場合にも、指クラッチレバー１の指操作部１ａを指で押してクラッチを切るのである。即ち、図５の状態より指クラッチレバー１の指操作部１ａを指で下方に押すと、ローラー押当部１ｂが前部上方に回動して、ローラー３ａがローラー押当部１ｂのＸ２部分を下方に回転移動し、中間部材３を回動させ、該中間部材３の「切」側押当部３ｃがリンク枢支部２ｅを押して、主クラッチレバー２を回動させ、回動部材４を回動させる。
そして、該中間部材３のストッパー部３ｅがハンドル１３の下部に押当して、中間部材３が停止し、従って、ローラー３ａに押当するローラー押当部１ｂも停止し、指クラッチレバー１全体が、図６の状態で停止する。
【００２１】
この状態になった時に、図６の如く、回動部材５のワイヤ枢支部５ａが回動軸５ｂの中心より下方位置となって支点越えするため、クラッチワイヤ１１の前方への付勢力により回動部材５が回動し、それに伴って、主クラッチレバー２も回動する。リンク部材４の板状部材４ａと棒状部材４ｂとは枢着構造のために、リンク部材４が折曲され、主クラッチレバー２の回動を自由にしているのである。
そして、ついに図７の如く、主クラッチレバー２のレバー部２ａがクラッチ「切」位置まで回動した時に、回動部材５のＹ１部分が主クラッチレバー２の回動軸２ｄに押当して、回動部材４及び主クラッチレバー２の回動が停止される。
【００２２】
以上のように、クラッチ「切」操作における指押し操作においては、最初の指押し時に指クラッチレバー１のローラー押当部１ｂが中間部材３のローラー３ａを押す荷重がかかるが、図６の位置まで指操作部１ａを押し下げると、あとはクラッチワイヤ１１の付勢力によって自然に主クラッチ２を「切」位置まで回動してクラッチを切ることができるので、非常に指押し操作における荷重は軽くてすむのである。
【００２３】
こうして、指押し操作によってクラッチを切った後、指を離すと、指クラッチレバー１が戻しバネ７の付勢力によって上方に引き上げられ、指クラッチレバー用ストッパー９に押当して元に戻る。この指クラッチレバー１の回動に伴い、ローラー押当部１ｂが後部下方に回動してローラー３ａが該ローラー押当部１ｂのＸ２部分を上方に回転移動して、ついにＸ１部分に達し、この時に該中間部材３の「入」側押当部３ｂが主クラッチレバー２のリンク枢支部２ｅに押当して停止する。
なお、指クラッチレバー１が引き上がる間に、主クラッチレバー２は、回動部材５のＹ１部分が回動軸２ｄに押当しているので、「切」位置に維持されているのである。こうして、図２のクラッチ「切」状態に戻るのである。
【００２４】
【発明の効果】
本発明は、以上のように構成したことにより、次のような効果を奏するものである。
即ち、従来、クラッチを入れるためのレバーと切るためのレバーを別個に設けなければならなかった指クラッチレバーが、主クラッチレバーとの間に介設する中間部材のローラー位置を切り換えるように構成し、また、クラッチ「入」「切」各操作の終了時に指を離すと、主クラッチレバーを各位置に固定したまま指クラッチレバーが元の位置に戻ることにより、指クラッチレバー１個にて「入」「切」操作ができるようになり、クラッチを入れる時と切る時で指の位置を違える必要がなく、クラッチ操作が容易となり、操作ミスもなくなる。
【００２５】
そして、指クラッチレバーの指押し操作において、押し始めは指クラッチレバーが中間部材のローラーを押すので、負荷を感じるが、一定の回動量まで指クラッチレバーを押すと、回動部材の枢支するクラッチワイヤが支点越えをし、自然に付勢方向に引っ張られて、主クラッチレバーの回動軸に押当して該主クラッチレバーを固定するので、指押し操作の終了時付近においては、あまり指に荷重がかからない。従って、指押し操作において感ずる負荷が軽減され、作業者にとって操作のし易さを感じる指操作式クラッチレバーを得ることができる。
【図面の簡単な説明】
【図１】本発明の指操作式クラッチレバーＡを具備した管理機の全体平面図である。
【図２】本発明の指操作式クラッチレバーＡにおけるクラッチ「切」状態の側面図である。
【図３】クラッチを入れるための指押し操作の途中の側面図である。
【図４】同じく指押し操作の終了時の側面図である。
【図５】同じく指クラッチレバーが元に戻った時の側面図である。
【図６】クラッチを切るための指押し操作の途中の側面図である。
【図７】同じく指押し操作の終了時の側面図である。
【図８】操作式クラッチレバーＡの平面図である。
【図９】同じく正面図である。
【符号の説明】
Ａ          指操作式クラッチレバー
１          指クラッチレバー
１ａ        指操作部
１ｂ        ローラー押当部
１ｃ        回動軸
２          主クラッチレバー
２ａ        レバー部
２ｂ        板状部
２ｃ        長孔
２ｄ        回動軸
３          中間部材
３ａ        ローラー
３ｂ        「切」側押当部
３ｃ        「入」側押当部
３ｄ        バネ取付部
３ｅ        ストッパー部
４          リンク部材
４ａ        板状部材４ａ
４ｂ        棒状部材
４ｃ        バネ取付部
５          回動部材
５ａ        ワイヤ枢支部
５ｂ        回動軸
６          バネ
７          戻しバネ
８          取付板材
９          指クラッチレバー用ストッパー
１０        主クラッチレバー用ストッパー
１１        クラッチワイヤ
１３        ハンドル
【図１】
0003607995.tif 000002
【図２】
0003607995.tif 000003
【図３】
0003607995.tif 000004
【図４】
0003607995.tif 000005
【図５】
0003607995.tif 000006
【図６】
0003607995.tif 000007
【図７】
0003607995.tif 000008
【図８】
0003607995.tif 000009
【図９】
0003607995.tif 000010